(57)【要約】【課題】ヘッドボックスの小型化及び／又はサポート部材の共通化を可能にする日射遮蔽装置を提供する。【解決手段】本発明によれば、ヘッドボックスと、前記ヘッドボックスから吊下支持される日射遮蔽材と、前記日射遮蔽材を昇降させる昇降コードとを備え、前記昇降コードは、前記日射遮蔽材の部屋内側に垂下される部屋内側昇降コードと、前記日射遮蔽材の部屋外側に垂下される部屋外側昇降コードとを備え、前記部屋内側昇降コードと前記部屋外側昇降コードの少なくとも一方は、外付けのガイド部材支持体によって支持される外部ガイド部材を通じて前記ヘッドボックス内に案内され、前記外部ガイド部材は、少なくとも一部が前記ヘッドボックスからはみ出すように設けられる、日射遮蔽装置が提供される。【選択図】図３
2015040465.tif 000002
【特許請求の範囲】
【請求項１】
ヘッドボックスと、前記ヘッドボックスから吊下支持される日射遮蔽材と、前記日射遮蔽材を昇降させる昇降コードとを備え、
前記昇降コードは、前記日射遮蔽材の部屋内側に垂下される部屋内側昇降コードと、前記日射遮蔽材の部屋外側に垂下される部屋外側昇降コードとを備え、
前記部屋内側昇降コードと前記部屋外側昇降コードの少なくとも一方は、外付けのガイド部材支持体によって支持される外部ガイド部材を通じて前記ヘッドボックス内に案内され、
前記外部ガイド部材は、少なくとも一部が前記ヘッドボックスからはみ出すように設けられる、日射遮蔽装置。
【請求項２】
前記ヘッドボックス内に支持されるサポート部材と、前記サポート部材によって回転可能に支持され且つ前記昇降コードの巻取り及び巻戻しを行う巻取軸を備え、前記ガイド部材支持体は、前記ヘッドボックス又は前記サポート部材に取り付けられる、請求項１に記載の日射遮蔽装置。
【請求項３】
前記サポート部材は、前後方向の略中央の下部に中央ガイド部材を備え、
以下の特徴（１）〜（２）の少なくとも一方を備える、請求項２に記載の日射遮蔽装置。
（１）前記部屋内側昇降コードは、前記ヘッドボックスの部屋内側の下方にはみ出す位置に設けられた部屋内側の外部ガイド部材の部屋内側を通り、前記中央ガイド部材の部屋外側を通って前記ヘッドボックス内に案内される。
（２）前記部屋外側昇降コードは、前記ヘッドボックスの部屋外側の下方にはみ出す位置に設けられた部屋外側の外部ガイド部材の部屋外側を通り、前記中央ガイド部材の部屋内側を通って前記ヘッドボックス内に案内される。
【請求項４】
以下の特徴（ｉ）〜（ｉｉ）の少なくとも一方を備える、請求項１又は請求項２に記載の日射遮蔽装置。
（ｉ）前記部屋外側昇降コードは、前記ヘッドボックスの部屋外側の下方にはみ出す位置に設けられた部屋外側の外部ガイド部材の部屋外側を通り、前記ヘッドボックスの部屋内側の下方にはみ出す位置に設けられた部屋内側の外部ガイド部材の部屋内側を通って前記ヘッドボックス内に案内される。
（ｉｉ）前記部屋内側昇降コードは、前記ヘッドボックスの部屋内側の下方にはみ出す位置に設けられた部屋内側の外部ガイド部材の部屋内側を通り、前記ヘッドボックスの部屋外側の下方にはみ出す位置に設けられた部屋外側の外部ガイド部材の部屋外側を通って前記ヘッドボックス内に案内される。
【請求項５】
前記昇降コードを前記ヘッドボックスの下側から前後方向外側に案内する下側外部ガイド部材と、前記下側外部ガイド部材よりも上方に設けられ且つ前記昇降コードを前記ヘッドボックスの前後方向中央側に案内する上側外部ガイド部材を備え、
前記部屋内側昇降コードと前記部屋外側昇降コードの少なくとも一方は、前記下側外部ガイド部材及び前記上側外部ガイド部材によって前記ヘッドボックス内に案内される、請求項１又は請求項２に記載の日射遮蔽装置。
【請求項６】
前記ガイド部材支持体は、前記外部ガイド部材を支持し且つ前記ヘッドボックスの前壁又は後壁からはみ出すように配置されるガイド部材支持部と、前記外部ガイド部材から前記ヘッドボックスの前後方向の中央側に向かって延びる傾斜部とを備え、前記昇降コードは、前記外部ガイド部材を介して、前記傾斜面によって前記ヘッドボックス内に案内される、請求項１に記載の日射遮蔽装置。
【請求項７】
前記ガイド部材支持部に連結される保持カバーを備え、
前記ガイド部材支持体は、前記前壁又は後壁の内面に当接する内面当接部を有し、
前記保持カバーと前記内面当接部とで前記前壁又は後壁を挟むことによって前記ガイド部材支持体及び前記保持カバーが前記ヘッドボックスに対して取り付けられる、請求項６に記載の日射遮蔽装置。
【請求項８】
前記ガイド部材支持部は、幅方向の両側にガイド部材側係合部を備え、
前記保持カバーは、前記ガイド部材側係合部に係合するカバー側係合部を備え、
前記ガイド部材側係合部と前記カバー側係合部とを係合させることによって前記保持カバーが前記ガイド部材支持部に連結される、請求項７に記載の日射遮蔽装置。
【発明の詳細な説明】
【技術分野】
【０００１】
この発明は、横型ブラインド、たくし上げカーテン、プリーツスクリーン等の日射遮蔽装置に関する。
【背景技術】
【０００２】
横型ブラインドなどの日射遮蔽装置においては、ヘッドボックスから垂下される昇降コードを操作することによって、ヘッドボックスから吊下支持される日射遮蔽材を昇降させる。
【０００３】
昇降コードを垂下させる構成としては、特許文献１〜２に示すように、日射遮蔽材であるスラットやスクリーンの前後方向の略中央に開口部を形成し、その開口部に挿通させるという構成がこれまでの主流である。
【０００４】
一方、遮蔽性向上等の目的で、日射遮蔽材には開口部を設けずに、日射遮蔽材の前後方向側面に沿って昇降コードを垂下する日射遮蔽装置も開発されている。このような日射遮蔽装置では、昇降コードはヘッドボックス内で前後方向に振り分けられた後に、日射遮蔽材の前後方向側面に沿って垂下される（特許文献３〜５）。
【先行技術文献】
【特許文献】
【０００５】
【特許文献１】特開２０１０−１５０８５５号公報
【特許文献２】特開２００４−１２４５３２号公報
【特許文献３】米国特許６９６８８８４号
【特許文献４】米国特許７６５４３０１号
【特許文献５】実開平３−８７７９４号公報
【発明の概要】
【発明が解決しようとする課題】
【０００６】
１つ目の課題は、昇降コードを日射遮蔽材の前後方向側面に沿って垂下させる場合、ヘッドボックスを昇降コードの垂下位置まで延ばす必要があり、その分だけ、ヘッドボックスが前後方向に長くなってしまうことである。
【０００７】
２つ目の課題は、従来の日射遮蔽装置の多くは、日射遮蔽材の前後方向の略中央から昇降コードを垂下させるものであり、昇降コードの巻取り及び巻戻しを行う巻取軸を支持するサポート部材も、昇降コードが日射遮蔽材の前後方向の略中央から垂下されることを前提に設計されているので、昇降コードを日射遮蔽材の前後方向側面に沿って垂下させる場合、サポート部材を新たに設計する必要があるという問題がある。
【０００８】
本発明はこのような事情に鑑みてなされたものであり、ヘッドボックスの小型化及び／又はサポート部材の共通化を可能にする日射遮蔽装置を提供するものである。
【課題を解決するための手段】
【０００９】
本発明によれば、ヘッドボックスと、前記ヘッドボックスから吊下支持される日射遮蔽材と、前記日射遮蔽材を昇降させる昇降コードとを備え、前記昇降コードは、前記日射遮蔽材の部屋内側に垂下される部屋内側昇降コードと、前記日射遮蔽材の部屋外側に垂下される部屋外側昇降コードとを備え、前記部屋内側昇降コードと前記部屋外側昇降コードの少なくとも一方は、外付けのガイド部材支持体によって支持される外部ガイド部材を通じて前記ヘッドボックス内に案内され、前記外部ガイド部材は、少なくとも一部が前記ヘッドボックスからはみ出すように設けられる、日射遮蔽装置が提供される。
【００１０】
従来の日射遮蔽装置では、昇降コードをヘッドボックス内に案内するためのガイド部材は、ヘッドボックス内に設けられることが常識であった。このような常識に反して、本発明者は、外付けのガイド部材支持体によって支持される外部ガイド部材を用いて昇降コードをヘッドボックス内に案内させ、その外部ガイド部材の少なくとも一部をヘッドボックスからはみ出すように構成することによって、ヘッドボックスの小型化及び／又はサポート部材の共通化が可能になることを見出し、本発明の完成に到った。
【００１１】
以下、本発明の種々の実施形態を例示する。以下に示す実施形態は互いに組み合わせ可能である。
好ましくは、前記ヘッドボックス内に支持されるサポート部材と、前記サポート部材によって回転可能に支持され且つ前記昇降コードの巻取り及び巻戻しを行う巻取軸を備え、前記ガイド部材支持体は、前記ヘッドボックス又は前記サポート部材に取り付けられる。
好ましくは、前記サポート部材は、前後方向の略中央の下部に中央ガイド部材を備え、以下の特徴（１）〜（２）の少なくとも一方を備える。（１）前記部屋内側昇降コードは、前記ヘッドボックスの部屋内側の下方にはみ出す位置に設けられた部屋内側の外部ガイド部材の部屋内側を通り、前記中央ガイド部材の部屋外側を通って前記ヘッドボックス内に案内される。（２）前記部屋外側昇降コードは、前記ヘッドボックスの部屋外側の下方にはみ出す位置に設けられた部屋外側の外部ガイド部材の部屋外側を通り、前記中央ガイド部材の部屋内側を通って前記ヘッドボックス内に案内される。
好ましくは、以下の特徴（ｉ）〜（ｉｉ）の少なくとも一方を備える。（ｉ）前記部屋外側昇降コードは、前記ヘッドボックスの部屋外側の下方にはみ出す位置に設けられた部屋外側の外部ガイド部材の部屋外側を通り、前記ヘッドボックスの部屋内側の下方にはみ出す位置に設けられた部屋内側の外部ガイド部材の部屋内側を通って前記ヘッドボックス内に案内される。（ｉｉ）前記部屋内側昇降コードは、前記ヘッドボックスの部屋内側の下方にはみ出す位置に設けられた部屋内側の外部ガイド部材の部屋内側を通り、前記ヘッドボックスの部屋外側の下方にはみ出す位置に設けられた部屋外側の外部ガイド部材の部屋外側を通って前記ヘッドボックス内に案内される。
好ましくは、前記昇降コードを前記ヘッドボックスの下側から前後方向外側に案内する下側外部ガイド部材と、前記下側外部ガイド部材よりも上方に設けられ且つ前記昇降コードを前記ヘッドボックスの前後方向中央側に案内する上側外部ガイド部材を備え、前記部屋内側昇降コードと前記部屋外側昇降コードの少なくとも一方は、前記下側外部ガイド部材及び前記上側外部ガイド部材によって前記ヘッドボックス内に案内される。
好ましくは、前記ガイド部材支持体は、前記外部ガイド部材を支持し且つ前記ヘッドボックスの前壁又は後壁からはみ出すように配置されるガイド部材支持部と、前記外部ガイド部材から前記ヘッドボックスの前後方向の中央側に向かって延びる傾斜部とを備え、前記昇降コードは、前記外部ガイド部材を介して、前記傾斜面によって前記ヘッドボックス内に案内される。
好ましくは、前記ガイド部材支持部に連結される保持カバーを備え、前記ガイド部材支持体は、前記前壁又は後壁の内面に当接する内面当接部を有し、前記保持カバーと前記内面当接部とで前記前壁又は後壁を挟むことによって前記ガイド部材支持体及び前記保持カバーが前記ヘッドボックスに対して取り付けられる。
好ましくは、前記ガイド部材支持部は、幅方向の両側にガイド部材側係合部を備え、前記保持カバーは、前記ガイド部材側係合部に係合するカバー側係合部を備え、前記ガイド部材側係合部と前記カバー側係合部とを係合させることによって前記保持カバーが前記ガイド部材支持部に連結される。
【図面の簡単な説明】
【００１２】
【図１】本発明の第１実施形態の横型ブラインドを示す正面図である。
【図２】図１の右側面図である。
【図３】（ａ）〜（ｂ）は、図１の断面Ａ及び断面Ｂを示す概略図である（ラダーコード２とチルト装置１１は省略している）。（ｃ）は、ガイド部材支持体９ａの概略構成を示す斜視図である。
【図４】（ａ）〜（ｂ）は、本発明の第２実施形態の横型ブラインドでの、図３（ａ）〜（ｂ）に対応する図である。
【図５】（ａ）〜（ｂ）は、本発明の第３実施形態の横型ブラインドでの、図３（ａ）〜（ｂ）に対応する図である。
【図６】本発明の第４実施形態の横型ブラインドを示し、（ａ）は正面図、（ｂ）は右側面図である。なお、（ｂ）では、図示の便宜上、イコライザー６ａ、操作ポール６ｂ、及びコード出口６ｃの図示を省略している。
【図７】図６の平面図である。
【図８】（ａ）は、図７中の領域Ｘの拡大図であり、（ｂ）は、（ａ）の分解図である。
【図９】（ａ）は、図８（ａ）中のＡ−Ａ断面図であり、（ｂ）は、（ａ）の分解図であり、（ｃ）は、（ａ）中のＢ−Ｂ断面図である。
【図１０】図８（ａ）中のガイド部材支持体１４の構成を示し、（ａ）は平面図、（ｂ）は背面図、（ｃ）は正面図、（ｄ）は（ａ）中のＡ−Ａ断面図である。
【図１１】図８（ａ）中の保持カバー１５の構成を示し、（ａ）は正面図、（ｂ）は底面図、（ｃ）は右側面図、（ｄ）は背面図、（ｅ）は、（ａ）中のＡ−Ａ断面図、（ｆ）は、（ｄ）中のＢ−Ｂ断面図である。
【図１２】（ａ）〜（ｂ）は、本発明の第５実施形態の横型ブラインドでの、図８（ａ）〜（ｂ）に対応する図である。
【発明を実施するための形態】
【００１３】
以下、本発明の実施形態について説明する。以下に示す実施形態中で示した各種特徴事項は、互いに組み合わせ可能である。また、各特徴について独立して発明が成立する。以下の実施形態では、日射遮蔽装置として横型ブラインドを例に挙げて説明を行うが、本発明は、主に、ヘッドボックスからの昇降コードの垂下方法に特徴を有しているので、横型ブラインドと同様に昇降コードを用いて日射遮蔽材を昇降させるたくし上げカーテンやプリーツスクリーンにおいても同様に適用可能である。
【００１４】
以下に示す第１〜第３実施形態では、サポート部材の共通化を主な課題とし、第４〜第５実施形態では、ヘッドボックスの小型化を主な課題とする。
【００１５】
１．第１実施形態
図１〜図３に本発明の第１実施形態の横型ブラインドを示す。図１に示す横型ブラインドは、ヘッドボックス１から複数本のラダーコード２が垂下され、ラダーコード２の下端にはボトムレール４が取着されている。ラダーコード２には、多数段のスラット３が支持されている。ヘッドボックス１はブラケット１２に取着されることで窓枠や内壁に固定される。
【００１６】
ラダーコード２の上端部はヘッドボックス１内に配設されるチルト装置１１に取着される。チルト装置１１は、ヘッドボックス１内に配設される駆動軸８の回転に基づいてラダーコード２を介して各スラット３を同位相で回動し、各スラット３がほぼ垂直方向となるまで回動された後は、各スラット３を同方向にそれ以上回動させないように構成されている。
【００１７】
図２及び図３に示すように、スラット３の部屋内側には、部屋内側昇降コード５ａが垂下されており、スラット３の部屋外側には、部屋外側昇降コード５ｂが垂下されている。昇降コード５ａ，５ｂの下端は、ボトムレール４に取着されている。図１に示すように、昇降コード５ａ，５ｂは、それぞれ、サポート部材２１によって回転可能に支持された巻取軸１３によって巻取り及び巻戻しが行われ、これによって、ボトムレール４が昇降される。
【００１８】
ヘッドボックス１の右端には、操作プーリー（図示せず）を回転可能に支持するプーリーケース１０が設けられ、操作プーリーには、無端状の操作コード６が掛装されている。操作コード６の操作により駆動軸８を通じて巻取軸１３及びチルト装置１１を回転させてボトムレール４の昇降操作及びスラット３の角度調節操作が可能となっている。
【００１９】
図３（ａ）に示すように、外部ガイド部材７ａを支持するガイド部材支持体９ａがサポート部材２１の部屋内側の下面に取り付けられており、図３（ｂ）に示すように、外部ガイド部材７ｂを支持するガイド部材支持体９ｂがサポート部材２１の部屋外側の下面に取り付けられている。ガイド部材支持体９ａは、外部ガイド部材７ａがヘッドボックス１の部屋内側の下方にはみ出すように外部ガイド部材７ａを支持し、ガイド部材支持体９ｂは、外部ガイド部材７ｂがヘッドボックス１の部屋外側の下方にはみ出すように外部ガイド部材７ｂを支持する。図３（ａ）〜（ｂ）に示すように、サポート部材２１は、特許文献１に示すような日射遮蔽装置の前後方向の略中央から昇降コードを垂下させる方式の横型ブラインドでも使用可能な部材であり、そのために、サポート部材２１の前後方向の略中央の下部には中央ガイド部材７ｅが設けられている。
【００２０】
ガイド部材支持体９ａの構成は、特に限定されず、一例では、図３（ｃ）に示すように、本体部９ａ１と、本体部９ａ１の両側から略垂直に延びる一対の側壁部９ａ２を備える構成である。また、ガイド部材７ａの構成は、特に限定されず、一例では、図３（ｃ）に示すように、側壁部９ａ２によって支持される滑車軸７ｂ１と、滑車軸７ｂ１によって回転可能に支持される滑車７ｂ２とを備える構成である。ガイド部材支持体９ａは、本実施形態では、サポート部材２１の下面に取り付けられているが、ヘッドボックス１に取り付けてもよい。また、ガイド部材支持体９ａの取り付け方式は、特に限定されず、スナップ機構、接着、溶着などの方法で取り付けが可能である。ガイド部材支持体９ｂ及びガイド部材７ｂの構成や取り付け方式についての説明は、ガイド部材支持体９ａ及びガイド部材７ａと同様である。
【００２１】
図３（ａ）に示すように、部屋内側昇降コード５ａは、部屋内側の外部ガイド部材７ａの部屋内側を通り、中央ガイド部材７ｅの部屋外側を通ってヘッドボックス１内に案内される。図３（ｂ）に示すように、部屋外側昇降コード５ｂは、部屋外側の外部ガイド部材７ｂの部屋外側を通り、中央ガイド部材７ｅの部屋内側を通ってヘッドボックス１内に案内される。このように、本実施形態では、部屋内側昇降コード５ａをヘッドボックス１の部屋外側からヘッドボックス１内に案内し、部屋外側昇降コード５ｂをヘッドボックス１の部屋内側からヘッドボックス１内に案内している点が特徴的である。
【００２２】
なお、本実施形態は、図３（ａ）〜（ｂ）での反時計回り方向（矢印Ｘ方向）に駆動軸８を回転させて昇降コード５ａ，５ｂを巻き取る方式であるので、昇降コード５ａ，５ｂは、巻取軸１３の部屋外側に案内させているが、昇降コード５ａ，５ｂの巻取り方向は、図３（ａ）〜（ｂ）での時計回り方向であってもよく、その場合、昇降コード５ａ，５ｂは、巻取軸１３の部屋内側に案内される。
【００２３】
また、本実施形態では、部屋内側昇降コード５ａを部屋外側からヘッドボックス１内に案内し、部屋外側昇降コード５ｂを部屋内側からヘッドボックス１内に案内しているが、昇降コード５ａ，５ｂのうちの何れか一方については、中央ガイド部材７ｅを使用しなくてもよい。例えば、部屋外側開閉コード５ｂは、部屋外側の外部ガイド部材７ｂの部屋外側を通って、そのままヘッドボックス１内に案内してもよく、外部ガイド部材７ｂも用いずにヘッドボックス１内に案内してもよい。部屋内側昇降コード５ａについても同様である。
【００２４】
このように、本実施形態によれば、ヘッドボックス１の部屋外側の下方にはみ出すようにガイド部材支持体９ａ，９ｂを取り付けることによって、従来製品と同じサポート部材２１を使用して、スラット３の前後方向の側面に沿って垂下される昇降コード５ａ，５ｂの巻取軸１３に巻き取ることが可能になる。これによって、サポート部材２１やこれを支持するヘッドボックス１を従来製品と共通化することが可能になり、サポート部材２１を新たに設計する手間を省くことができる。
【００２５】
本実施形態は、以下の態様でも実施可能である。
・上記実施形態は、横型ブラインドを例に挙げて説明を行ったが、スラットの代わりにプリーツスクリーン用のスクリーンや、たくし上げカーテン用のカーテン生地をヘッドボックスから吊下支持させ、上記実施形態と同様の方法で垂下させた昇降コードを用いて昇降させることもできる。
【００２６】
２．第２実施形態
次に、図４を用いて、本発明の第２実施形態について説明する。本実施形態は、図４に示すように、昇降コード５ａ，５ｂの巻取り方向が第１実施形態とは反対方向（図４（ａ）〜（ｂ）の矢印Ｙ方向）である点と、ガイド部材支持体９ａ，９ｂの取り付け位置が第１実施形態とは異なる点が、第１実施形態との主な差異点である。以下、第１実施形態との差異点を中心に説明する。なお、本実施形態では、中央ガイド部材７ｅを有さないサポート部材２１を用いているが、第１実施形態と同様に、中央ガイド部材７ｅを有するサポート部材２１を用いてもよい。
【００２７】
本実施形態では、図４（ａ）に示すように、部屋内側昇降コード５ａの巻取り及び巻戻しを行う巻取軸１３を回転可能に支持するサポート部材２１にはガイド部材支持体が取り付けられておらず、図４（ｂ）に示すように、部屋外側昇降コード５ｂの巻取り及び巻戻しを行う巻取軸１３を回転可能に支持するサポート部材２１の部屋内側の下面に外部ガイド部材７ａを支持するガイド部材支持体９ａが取り付けられ、同じサポート部材２１の部屋外側の下面に外部ガイド部材７ｂを支持するガイド部材支持体９ｂが取り付けられている。ガイド部材支持体９ａ，９ｂ及び外部ガイド部材７ａ，７ｂの構成及び取り付け方法等の説明は、第１実施形態と同様である。
【００２８】
図４（ａ）に示すように、部屋内側昇降コード５ａは、外部ガイド部材を介さずに、ヘッドボックス１の部屋内側からヘッドボックス１内に案内されている。一方、図４（ｂ）に示すように、部屋外側昇降コード５ｂは、部屋外側のガイド部材７ｂの部屋外側を通り、部屋内側のガイド部材７ａの部屋内側を通って、ヘッドボックス１の部屋内側からヘッドボックス１内に案内されている。
【００２９】
このように、本実施形態では、昇降コード５ａ，５ｂの両方が、ヘッドボックス１の部屋内側からヘッドボックス１内に案内されているので、ヘッドボックス１内での昇降コード５ａ，５ｂの取り回しを同じにすることができるという利点がある。
【００３０】
なお、上記説明において、部屋内側と部屋外側は、反対にすることができる。つまり、部屋外側昇降コード５ｂが外部ガイド部材を介さずにヘッドボックス１の部屋外側からヘッドボックス１内に案内され、部屋内側昇降コード５ａが部屋内側のガイド部材７ａの部屋内側を通り、部屋外側のガイド部材７ｂの部屋外側を通ってヘッドボックス１の部屋外側からヘッドボックス１内に案内されるようにしてもよい。
【００３１】
３．第３実施形態
次に、図５を用いて、本発明の第３実施形態について説明する。本実施形態は、第２実施形態に類似しているが、図５に示すように、部屋外側昇降コード５ｂの取り回しが第２実施形態と主に異なるので、この点を中心に説明する。
【００３２】
本実施形態では、図５（ａ）に示すように、部屋内側昇降コード５ａの巻取り及び巻戻しを行う巻取軸１３を回転可能に支持するサポート部材２１にはガイド部材支持体が取り付けられておらず、図５（ｂ）に示すように、部屋外側昇降コード５ｂの巻取り及び巻戻しを行う巻取軸１３を回転可能に支持するサポート部材２１の下面に部屋外側昇降コード５ｂをヘッドボックス１の後方に案内する外部ガイド部材７ｃ１，７ｃ２を支持する下側ガイド部材支持体９ｃが取り付けられており、ガイド部材支持体９ｃの上方には部屋外側昇降コード５ｂをヘッドボックス１の前後方向の中央側に案内する外部ガイド部材７ｄ１，７ｄ２を支持する上側ガイド部材支持体９ｄがサポート部材２１の上面に取り付けられている。
【００３３】
ガイド部材支持体９ｃ，９ｄ及び外部ガイド部材７ｃ１，７ｃ２，７ｄ１，７ｄ２の構成及び取り付け方法等の説明は、第１実施形態と同様である。
【００３４】
図５（ａ）に示すように、部屋内側昇降コード５ａは、外部ガイド部材を介さずに、ヘッドボックス１の部屋内側からヘッドボックス１内に案内されている。一方、図５（ｂ）に示すように、部屋外側昇降コード５ｂは、下側外部ガイド部材７ｃ１，７ｃ２によってヘッドボックス１の後方に案内された後、上側外部ガイド部材７ｄ１，７ｄ２によってヘッドボックス１の前後方向の中央側に案内されて、ヘッドボックス１の上側からヘッドボックス１内に案内される。より具体的には、部屋外側昇降コード５ｂは、ヘッドボックス１の下方にはみ出す位置の部屋外側に設けられた下側外部ガイド部材７ｃ１の部屋内側を通り、ヘッドボックス１の部屋外側方向にはみ出す位置の下部に設けられた下側外部ガイド部材７ｃ２の部屋外側を通り、ヘッドボックス１の部屋外側方向にはみ出す位置の上部に設けられる上側外部ガイド部材７ｄ１の部屋外側を通り、ヘッドボックス１の上方にはみ出す位置の部屋外側に設けられた上側外部ガイド部材７ｄ２の部屋内側を通ってヘッドボックス１内に案内される。
【００３５】
図５（ｂ）で示す外部ガイド部材７ｃ１，７ｃ２，７ｄ１，７ｄ２の配置は、一例であって、ヘッドボックス１の下側において、部屋外側昇降コード５ｂをヘッドボックス１の部屋外側方向にはみ出す位置に案内し、且つヘッドボックス１の上側において部屋外側昇降コード５ｂをヘッドボックス１の前後方向の中央側に案内することができる構成であれば別の配置であってもよい。また、ガイド部材７ｃ１，７ｃ２，７ｄ１，７ｄ２の数は、必ずしも２つである必要はなく、１つ又は３つ以上であってもよく、部屋外側昇降コード５ｂを上記のように案内するのに必要な数を配置すればよい。
【００３６】
上記説明において、部屋内側と部屋外側は、反対にすることができる。つまり、部屋外側昇降コード５ｂが外部ガイド部材を介さずにヘッドボックス１の部屋外側からヘッドボックス１内に案内され、部屋内側昇降コード５ａがヘッドボックス１の部屋内側方向にはみ出す位置に案内されて、ヘッドボックス１の上側からヘッドボックス１内に案内されるようにしてもよい。
【００３７】
下側ガイド部材支持体９ｃは、ヘッドボックス１の下側に設けられているので、使用者の目に止まりやすいが、上側ガイド部材支持体９ｄは、ヘッドボックス１の上側に設けられているので、使用者の目に止まりにくい。従って、本実施形態によれば、第１及び第２実施形態に比べて、使用者の目に止まりやすい位置に配置されるガイド部材支持体の数を減らすことができ、美観が向上する。
【００３８】
４．第４実施形態
図６〜図１１を用いて、本発明の第４実施形態について説明する。第１〜第３実施形態は、巻取軸を用いて昇降コードの巻取り及び巻戻しを行うことによって日射遮蔽材を昇降させる巻取り式の日射遮蔽装置に関するものであるのに対し、本実施形態は、ヘッドボックス内に案内された昇降コードをヘッドボックスの別の位置から引き出し、その引き出し量を変化させることによって日射遮蔽材を昇降させる直引き式の日射遮蔽装置に関するものである。但し、本実施形態は、巻取り式の日射遮蔽装置にも適用可能である。
以下、日射遮蔽装置として横型ブラインドを例に挙げて説明を行う
【００３９】
図６に示す横型ブラインドは、ヘッドボックス１から複数本のラダーコード２が垂下され、ラダーコード２の下端にはボトムレール４が取着されている。ラダーコード２には、多数段のスラット３が支持されている。ヘッドボックス１はブラケット１２に取着されることで窓枠や内壁に固定される。
【００４０】
ラダーコード２の上端部はヘッドボックス１内に配設されるチルト装置１１に取着される。チルト装置１１は、ヘッドボックス１内に配設される駆動軸８の回転に基づいてラダーコード２を介して各スラット３を同位相で回動し、各スラット３がほぼ垂直方向となるまで回動された後は、各スラット３を同方向にそれ以上回動させないように構成されている。
【００４１】
図６〜図７に示すように、スラット３の部屋内側には、部屋内側昇降コード５ａが垂下されており、スラット３の部屋外側には、部屋外側昇降コード５ｂが垂下されている。昇降コード５ａ，５ｂの下端は、ボトムレール４に取着されている。昇降コード５ａ，５ｂは、ヘッドボックス１内に案内された後に、ヘッドボックス１の右端のコード出口６ｃから引き出され、イコライザー６ａに取着される。イコライザー６ａを引っ張ることによって、昇降コード５ａ，５ｂがコード出口６ｃから引き出される長さが長くなって、ボトムレール４が上昇する。この状態でイコライザー６ａに加える力を緩めるとストッパ２３が作動して昇降コード５ａ，５ｂが保持され、ボトムレール４の自重による降下が妨げられる。イコライザー６ａを再度少し引っ張るとストッパ２３が昇降コード５ａ，５ｂを解放し、ボトムレール４を降下させることができる。また、操作ポール６ｂを回転させると、その回転が駆動軸８を通じてチルト装置１１に伝達されて、スラット３が回動される。
【００４２】
部屋外側昇降コード５ｂは、従来技術と同様に、ヘッドボックス１の下方から、ヘッドボックス１内に設けられたガイド部材によってヘッドボックス１内に案内される。ガイド部材は、例えば、第１実施形態と同様に、滑車と、これを回転可能に支持する滑車軸とで構成される。また、滑車軸を支持する方法は、限定されず、チルト装置１１が滑車軸を支持する構成にしてもよく、滑車軸を支持するサポート部材を別途設けてもよい。
【００４３】
本実施形態は、部屋内側昇降コード５ａをヘッドボックス１内に案内する構成が特に特徴的である。図８に示すように、部屋内側昇降コード５ａは、外部ガイド部材１４ｄによってヘッドボックス１内に案内されるが、外部ガイド部材１４ｄは、ヘッドボックス１の前壁よりも前後方向外側にはみ出して配置されている。従来は、昇降コードをヘッドボックス内に案内するガイド部材は、ヘッドボックス１からはみ出さないように配置されることが常識的であったので、外部ガイド部材１４ｄをヘッドボックス１の前後方向外側にはみ出して配置することは従来の常識から大きく外れるものである。
【００４４】
外部ガイド部材１４ｄは、ガイド部材支持体１４によって支持される。図８（ｂ）に示すように、ガイド部材支持体１４は、外部ガイド部材１４ｄを支持するガイド部材支持部１４ｂと、外部ガイド部材１４ｄからヘッドボックス１の前後方向の中央側に向かって斜め方向に延びる傾斜部１４ａを備える。図９（ｃ）に示すように、外部ガイド部材１４ｄは、本実施形態では、滑車軸１４ｉで回転可能に支持された滑車である。
【００４５】
図８（ｂ）に示すように、外部ガイド部材１４ｄの近傍に傾斜部１４ａに沿って昇降コード５ａを収容する案内溝１４ｃが設けられている。そして、図８（ａ）に示すように、昇降コード５ａは、ヘッドボックス１の部屋内側方向にはみ出した位置の下方から、外部ガイド部材１４ｄによって案内溝１４ｃ内に案内され、傾斜部１４ａに沿ってヘッドボックス１の前後方向中央側に案内される。傾斜部１４ａは、昇降コード５ａとの摩擦による摩耗を抑制すべく、例えば金属製の保護板１４ｆで保護されている。
【００４６】
次に、ガイド部材支持体１４をヘッドボックス１に取り付ける方法について説明する。まず、図９（ｂ）及び（ｃ）に示すように、ヘッドボックス１の前壁に形成された開口部１ａに、ヘッドボックス１の前後方向の内側からガイド部材支持部１４ｂを挿入する。開口部１ａは、図９（ｂ）に示す正面図でのガイド部材支持部１４ｂの外形形状とほぼ同じ形状である。図８（ｂ）及び９（ｂ）に示すように、ガイド部材支持部１４ｂの幅方向の両側には係合溝１４ｇが形成されており、係合溝１４ｇ内には、突起１４ｈが設けられている。図９（ｂ）に示すように、突起１４ｈの、係合溝１４ｇが延びる方向の両側面には、テーパー面１４ｊが設けられている。
【００４７】
ガイド部材支持体１４に係合される保持カバー１５は、図１１に示すように本体部１５ａの幅方向両側から略垂直に延びる側壁部１５ｂと、両側の側壁部１５ｂから幅方向内側に向かって突出する上側係合凸部１５ｃ１と下側係合凸部１５ｃ２とを備える。また、本体部１５ａの上側には傾斜壁１５ｄが設けられている。
【００４８】
保持カバー１５をガイド部材支持体１４に係合させるには、図８（ｂ）に示すようにガイド部材支持部１４ｂをヘッドボックス１の部屋内側方向にはみ出させ、その状態で図９（ｂ）に示すように、ガイド部材支持部１４ｂの上側から、ヘッドボックス１の前壁の外面に沿って保持カバー１５の下側係合凸部１５ｃ２が係合溝１４ｇに入り込むように、保持カバー１５をスライド移動させる。下側係合凸部１５ｃ２が突起１４ｈのテーパー面１４ｊに当接した状態で、保持カバー１５をさらに押し下げると、下側係合凸部１５ｃ２がテーパー面１４ｊに沿って突起１４ｈを乗り越え、突起１４ｈが上側係合凸部１５ｃ１と下側係合凸部１５ｃ２の間に配置されることによって、保持カバー１５がガイド部材支持体１４に係合される。なお、保持カバー１５を取り外す際には、保持カバー１５に対して上向きの強い力を加えると、下側係合凸部１５ｃ２が突起１４ｈを乗り越えることによって、保持カバー１５をガイド部材支持体１４から取り外すことができる。なお、上側係合凸部１５ｃ１と下側係合凸部１５ｃ２の、テーパー面１４ｊに当接する面は、丸みが付けられている
【００４９】
この状態では、図８（ａ）に示すように、ガイド部材支持体１４がヘッドボックス１の前壁の内面に３箇所の当接部１４ｅにおいて当接し、保持カバー１５の両側の側壁部１５ｂの先端１５ｅがヘッドボックス１の前壁の外側に当接するので、保持カバー１５及びガイド部材支持体１４は、前後方向に動かすことができなくなり、ヘッドボックス１に対して取り付けられる。
【００５０】
以上の構成によって、外部ガイド部材１４ｄをヘッドボックス１の前後方向外側にはみ出して配置することができる。従来技術では、昇降コードを日射遮蔽材の前後方向側面に沿って垂下させる場合、ヘッドボックスを昇降コードの垂下位置まで延ばす必要があり、その分だけ、ヘッドボックスが前後方向に長くなってしまうという問題があった。一方、本実施形態によれば、ヘッドボックス１の前後方向外側にはみ出して配置した外部ガイド部材１４ｄによって昇降コードをヘッドボックス１内に案内することによって、ヘッドボックス１の前後方向の長さを従来技術に比べて短縮することが可能であり、このため、本実施形態では、図６（ｂ）に示すように、ヘッドボックス１の前後方向の長さがスラット３の前後方向の長さよりも短くなっている。
【００５１】
また、従来技術では、ヘッドボックス１の前後方向の長さは、日射遮蔽材の前後方向の長さに依存するので、例えば、２５ｍｍ幅のスラットの横型ブラインドと、１５ｍｍ幅のスラットの横型ブラインドとでは前後方向の長さが異なる別々のヘッドボックスを準備する必要があるが、本実施形態によれば、１５ｍｍ幅のスラットの横型ブラインド用のヘッドボックスを２５ｍｍ幅のスラットの横型ブラインドにも転用することが容易になる。
【００５２】
本実施形態は、以下の態様でも実施可能である。
・上記実施形態では、ヘッドボックス１の前壁からはみ出すようにガイド部材支持部１４ｂを配置したが、ヘッドボックス１の後壁からはみ出すようにガイド部材支持部１４ｂを配置し、このガイド部材支持部１４ｂによって支持される外部ガイド部材１４ｄによって、部屋外側昇降コード５ｂをヘッドボックス１内に案内してもよい。
・保持カバー１５とガイド部材支持部１４ｂの間の係合構造は、上記実施形態とは凹凸を反転させたものであってもよい。
・上記実施形態は、横型ブラインドを例に挙げて説明を行ったが、スラットの代わりにプリーツスクリーン用のスクリーンや、たくし上げカーテン用のカーテン生地をヘッドボックスから吊下支持させ、上記実施形態と同様の方法で垂下させた昇降コードを用いて昇降させることもできる。
【００５３】
５．第５実施形態
図１２を用いて、本発明の第５実施形態について説明する。本実施形態は、第４実施形態に類似しているが、ガイド部材支持体１４及び保持カバー１５の形状及び連結方法が異なっているので、この点を中心に説明する。
【００５４】
図１２（ｂ）に示すように、ガイド部材支持体１４のガイド部材支持部１４ｂは、略台形状の外面形状を有しており、保持カバー１５は、ガイド部材支持部１４ｂの外面形状に略一致する内面形状を有している。そして、図１２（ａ）に示すようにガイド部材支持部１４ｂの外面と、保持カバー１５の内面を一致させるように、両者を連結させる。両者の連結方法としては、圧入、接着、溶着、スナップ構造など種々の方法が考えられる。
【００５５】
保持カバー１５には、昇降コード５ａを挿通させるための切欠き１５ｆが設けられている。昇降コード５ａは、ヘッドボックス１の部屋内側方向にはみ出した位置の下方から、切欠き１５ｆに挿通されて外部ガイド部材１４ｄに案内され、外部ガイド部材１４ｄによって案内溝１４ｃ内に案内され、傾斜部１４ａに沿ってヘッドボックス１の前後方向中央側に案内される。
【符号の説明】
【００５６】
１：ヘッドボックス
２：ラダーコード
３：スラット
５ａ，５ｂ：昇降コード
９ａ〜９ｄ、１４：ガイド部材支持体
７ａ，７ｂ，７ｃ１，７ｃ２，７ｄ１，７ｄ２，１４ｄ：外部ガイド部材
７ｅ：中央ガイド部材
１５：保持カバー
【図１】
2015040465.tif 000003
【図２】
2015040465.tif 000004
【図３】
2015040465.tif 000005
【図４】
2015040465.tif 000006
【図５】
2015040465.tif 000007
【図６】
2015040465.tif 000008
【図７】
2015040465.tif 000009
【図８】
2015040465.tif 000010
【図９】
2015040465.tif 000011
【図１０】
2015040465.tif 000012
【図１１】
2015040465.tif 000013
【図１２】
2015040465.tif 000014